(57)【要約】      （修正有）【課題】より高い利便性を有する映像配信装置を提供する。【解決手段】外部機器２００にコンテンツを配信する映像配信装置１００であって、コンテンツを選局する為の選局要求を前記外部機器から受け取り、受け取った前記選局要求に基づいて選局番号と識別情報とを取得し、取得した前記識別情報を前記外部機器との間で共有化する選局要求処理部と、前記選局要求を受け取った場合、１つのチューナを選択し、選択したチューナを示すチューナ識別子と、前記選局番号と、前記識別情報と、を対応付けてメモリに記憶するチューナ制御部と、配信要求を外部機器から受け取り、受け取った前記配信要求に基づいて識別情報を取得する配信要求処理部と、取得した前記識別情報に対応する前記チューナ識別子及び前記選局番号を取得し、対象のチューナにより前記選局番号が示すコンテンツを選局し、選局したコンテンツを前記外部機器に配信する配信制御部と、を具備する。【選択図】図４
2013247460.tif 000002
【特許請求の範囲】
【請求項１】
ネットワーク経由で接続された外部機器にコンテンツを配信する映像配信装置であって、
コンテンツを選局する複数のチューナと、
コンテンツを選局する為の選局要求を前記外部機器から受け取り、受け取った前記選局要求に基づいて選局番号と識別情報とを取得し、取得した前記識別情報を前記外部機器との間で共有化する選局要求処理部と、
前記選局要求を受け取った場合、１つのチューナを選択し、選択したチューナを示すチューナ識別子と、前記選局番号と、前記識別情報と、を対応付けてメモリに記憶するチューナ制御部と、
コンテンツの配信を要求する配信要求を前記外部機器から受け取り、受け取った前記配信要求に基づいて識別情報を取得する配信要求処理部と、
前記配信要求処理部により取得した前記識別情報に対応する前記チューナ識別子及び前記選局番号を前記メモリから取得し、取得した前記チューナ識別子が示すチューナにより前記選局番号が示すコンテンツを選局し、選局したコンテンツを前記外部機器に配信する配信制御部と、
を具備する映像配信装置。
【請求項２】
前記配信要求処理部は、コンテンツを選局する為の選局要求を前記外部機器から受け取った場合、前記識別情報としてチケット番号を生成し、生成した前記チケット番号を前記外部機器に送信することにより、前記識別情報を前記外部機器との間で共有化する、
請求項１に記載の映像配信装置。
【請求項３】
前記配信要求処理部は、コンテンツを選局する為の選局要求を前記外部機器から受け取った場合、前記識別情報として前記選局要求から前記外部機器のＩＰアドレスを取得し、取得した前記ＩＰアドレスを前記外部機器との間で共有化する、
請求項１に記載の映像配信装置。
【請求項４】
ネットワーク経由で接続された外部機器から配信されたコンテンツを受け取る情報処理装置であって、
コンテンツを選局する為の選局番号を含む選局要求を前記外部機器に送信する第１の送信部と、
前記外部機器との間で共有化された識別情報を取得する識別情報共有化部と、
前記識別情報を含み、コンテンツの配信を要求する配信要求を前記外部機器に送信する第２の送信部と、
前記配信要求に応じたコンテンツを前記外部機器から受信する受信手段と、
を具備する情報処理装置。
【請求項５】
ネットワーク経由で外部機器と接続された第１及び第２の端末を備える情報処理装置であって、
前記第１の端末は、
コンテンツを選局する為の選局番号を含む選局要求を前記外部機器に送信する第１の送信部と、
前記外部機器との間で共有化された識別情報を取得する識別情報共有化部と、
前記識別情報を前記第２の端末に送信する第２の送信部と、
を具備し、
前記第２の端末は、
前記識別情報を含み、コンテンツの配信を要求する配信要求を前記外部機器に送信する第３の送信部と、
前記配信要求に応じたコンテンツを前記外部機器から受信する受信手段と、
を具備する情報処理装置。
【請求項６】
ネットワーク経由で接続された情報処理装置と、コンテンツを選局する複数のチューナを備え、前記情報処理装置にコンテンツを配信する映像配信装置と、に用いられる映像配信方法であって、
前記情報処理装置がコンテンツを選局する為の選局番号を含む選局要求を前記映像配信装置に送信し、
前記映像配信装置が前記選局要求を受け取り、受け取った前記選局要求に基づいて選局番号と識別情報とを取得し、取得した前記識別情報を前記情報処理装置との間で共有化し、１つのチューナを選択し、選択したチューナを示すチューナ識別子と、前記選局番号と、前記識別情報と、を対応付けてメモリに記憶し、
前記情報処理装置が前記映像配信装置との間で共有化された前記識別情報を含み、且つコンテンツの配信を要求する配信要求を前記映像配信装置に送信し、
前記映像配信装置が前記配信要求を前記情報処理装置から受け取り、受け取った前記配信要求に基づいて識別情報を取得し、取得した前記識別情報に対応する前記チューナ識別子及び前記選局番号を前記メモリから取得し、取得した前記チューナ識別子が示すチューナにより前記選局番号が示すコンテンツを選局し、選局したコンテンツを前記情報処理装置に配信する、
映像配信方法。
【請求項７】
コンテンツを選局する複数のチューナを有し、ネットワーク経由で接続された外部機器にコンテンツを配信する映像配信装置において実行される映像配信プログラムであって、前記映像配信装置を、
コンテンツを選局する為の選局要求を前記外部機器から受け取り、受け取った前記選局要求に基づいて選局番号と識別情報とを取得し、取得した前記識別情報を前記外部機器との間で共有化する選局要求処理部と、
前記選局要求を受け取った場合、１つのチューナを選択し、選択したチューナを示すチューナ識別子と、前記選局番号と、前記識別情報と、を対応付けてメモリに記憶するチューナ制御部と、
コンテンツの配信を要求する配信要求を前記外部機器から受け取り、受け取った前記配信要求に基づいて識別情報を取得する配信要求処理部と、
前記配信要求処理部により取得した前記識別情報に対応する前記チューナ識別子及び前記選局番号を前記メモリから取得し、取得した前記チューナ識別子が示すチューナにより前記選局番号が示すコンテンツを選局し、選局したコンテンツを前記外部機器に配信する配信制御部と、
して動作させる映像配信プログラム。
【請求項８】
ネットワーク経由で接続された外部機器から配信されたコンテンツを受け取る情報処理装置において実行される情報処理プログラムであって、前記情報処理装置を、
コンテンツを選局する為の選局番号を含む選局要求を前記外部機器に送信する第１の送信部と、
前記外部機器との間で共有化された識別情報を取得する識別情報共有化部と、
前記識別情報を含み、コンテンツの配信を要求する配信要求を前記外部機器に送信する第２の送信部と、
前記配信要求に応じたコンテンツを前記外部機器から受信する受信手段と、
して動作させる情報処理プログラム。
【発明の詳細な説明】
【技術分野】
【０００１】
本発明の実施形態は、映像配信装置、情報処理装置、映像配信方法、映像配信プログラム、及び情報処理プログラムに関する。
【背景技術】
【０００２】
従来、受け取った映像コンテンツ（ストリーム）を他の機器に配信（ライブ配信）する映像配信装置が実用化されている。コンテンツを複数の機器間で共有化する為に、例えば、Ｄｉｇｉｔａｌ  Ｌｉｖｉｎｇ  Ｎｅｔｗｏｒｋ  Ａｌｌｉａｎｃｅ（ＤＬＮＡ）などのガイドラインが存在する。映像配信装置は、例えば、ＤＬＮＡに対応する機器により構成されるネットワーク内で他機器にコンテンツをライブ配信する。
【先行技術文献】
【特許文献】
【０００３】
【特許文献１】特開２００２−２９０４５６号公報
【発明の概要】
【発明が解決しようとする課題】
【０００４】
上記したような映像配信装置は、選局要求と配信要求とを受け付ける口が分離されていない。この為、上記したような映像配信装置は、ライブ配信を継続しながら選局ができない可能性がある。
【０００５】
本発明の目的は、より高い利便性を有する映像配信装置、情報処理装置、映像配信方法、映像配信プログラム、及び情報処理プログラムを提供することである。
【課題を解決するための手段】
【０００６】
一実施形態に係る映像配信装置は、ネットワーク経由で接続された外部機器にコンテンツを配信する映像配信装置であって、コンテンツを選局する複数のチューナと、コンテンツを選局する為の選局要求を前記外部機器から受け取り、受け取った前記選局要求に基づいて選局番号と識別情報とを取得し、取得した前記識別情報を前記外部機器との間で共有化する選局要求処理部と、前記選局要求を受け取った場合、１つのチューナを選択し、選択したチューナを示すチューナ識別子と、前記選局番号と、前記識別情報と、を対応付けてメモリに記憶するチューナ制御部と、コンテンツの配信を要求する配信要求を前記外部機器から受け取り、受け取った前記配信要求に基づいて識別情報を取得する配信要求処理部と、前記配信要求処理部により取得した前記識別情報に対応する前記チューナ識別子及び前記選局番号を前記メモリから取得し、取得した前記チューナ識別子が示すチューナにより前記選局番号が示すコンテンツを選局し、選局したコンテンツを前記外部機器に配信する配信制御部と、を具備する。
【図面の簡単な説明】
【０００７】
【図１】図１は、一実施形態に係る映像配信システムについて説明する為の図である。
【図２】図２は、一実施形態に係る映像配信システムについて説明する為の図である。
【図３】図３は、一実施形態に係る映像配信システムについて説明する為の図である。
【図４】図４は、一実施形態に係る映像配信システムについて説明する為の図である。
【図５】図５は、一実施形態に係る映像配信システムについて説明する為の図である。
【図６】図６は、一実施形態に係る映像配信システムについて説明する為の図である。
【図７】図７は、一実施形態に係る映像配信システムについて説明する為の図である。
【図８】図８は、一実施形態に係る映像配信システムについて説明する為の図である。
【図９】図９は、一実施形態に係る映像配信システムについて説明する為の図である。
【図１０】図１０は、一実施形態に係る映像配信システムについて説明する為の図である。
【図１１】図１１は、一実施形態に係る映像配信システムについて説明する為の図である。
【発明を実施するための形態】
【０００８】
以下、図を参照しながら、一実施形態に係る映像配信装置、情報処理装置、映像配信方法、映像配信プログラム、及び情報処理プログラムについて詳細に説明する。
【０００９】
図１は、複数の電子機器により構成される映像配信システム１の例を示す。映像配信システム１は、例えば、映像配信装置１００、及び映像再生装置２００を備える。またさらに、映像配信装置１００と映像再生装置２００とが無線通信により通信する構成である場合、映像配信システム１は、無線通信端末３００をさらに備える。なお、映像配信システム１は、複数の映像再生装置２００（映像再生装置２００Ａ、映像再生装置２００Ｂ、・・・）を備えていてもよい。
【００１０】
映像配信システム１の映像配信装置１００、及び映像再生装置２００がそれぞれＤＬＮＡ機能に対応している場合、ネットワーク経由で映像配信装置１００と映像再生装置２００との間でコンテンツを共有することができる。
【００１１】
ＤＬＮＡのネットワークを構成する機器は、例えば、Ｄｉｇｉｔａｌ  Ｍｅｄｉａ  Ｓｅｒｖｅｒ（ＤＭＳ）、Ｄｉｇｉｔａｌ  Ｍｅｄｉａ  Ｐｌａｙｅｒ（ＤＭＰ）、Ｄｉｇｉｔａｌ  Ｍｅｄｉａ  Ｃｏｎｔｒｏｌｌｅｒ（ＤＭＣ）、及びＤｉｇｉｔａｌ  Ｍｅｄｉａ  Ｒｅｎｄｅｒｅｒ（ＤＭＲ）などが存在する。
【００１２】
ＤＭＳは、例えば、録画機能付きのテレビ、ハードディスクレコーダ、またはＰＣなどである。ＤＭＳは、ディジタルコンテンツの格納、及び配信を行う。ＤＭＰは、例えば、テレビ等の表示装置、または、オーディオプレーヤーなどである。ＤＭＰは、ＤＭＳからコンテンツを取得し、取得したコンテンツを記録及び再生する。ＤＭＣは、例えば、ＰＣ、または携帯端末などである。ＤＭＣは、ＤＭＳに格納されているコンテンツをＤＭＲに配信させるようにＤＭＳを制御する。ＤＭＲは、例えば、テレビ等の表示装置、または、オーディオプレーヤーなどである。ＤＭＲは、ＤＭＳから配信されたコンテンツを再生する。
【００１３】
なお、本実施形態では、映像配信システム１の映像配信装置１００、及び映像再生装置２００は、それぞれＤＬＮＡ機能に対応していると仮定する。例えば、映像配信装置１００がＤＭＳとして機能し、映像再生装置２００がＤＭＣ、ＤＭＰ、またはＤＭＲとして機能するとして説明する。
【００１４】
映像配信装置１００は、例えば、放送信号、または記憶媒体に記憶されている映像コンテンツなどを再生することができる放送受信装置、または録画サーバなどの電子機器である。また、映像配信装置１００は、録画した映像コンテンツ、及び受信した放送信号から復調したコンテンツなどをネットワーク中の他の機器に配信することができる。また、映像配信装置１００は、リモートコントローラ１６３、映像再生装置２００、及び無線通信端末３００と通信する通信手段を備える。
【００１５】
映像再生装置２００は、ディスプレイ、操作手段、及び通信手段を備える電子機器である。映像再生装置２００は、例えば、携帯電話端末、タブレット型ＰＣ、携帯音楽プレイヤー、または他の電子機器である。
【００１６】
無線通信端末３００は、映像再生装置２００、及び無線通信端末３００と無線通信する通信手段を備える。例えば、無線通信端末３００は、無線通信のアクセスポイントとして機能する。即ち、無線通信端末３００は、映像配信装置１００と無線、またはＬＡＮケーブルなどの通信ケーブルにより通信することができる。また、無線通信端末３００は、映像再生装置２００と無線により通信することができる。即ち、映像配信装置１００、映像再生装置２００、及び無線通信端末３００は、双方向通信可能な通信プロトコル（例えばＩＰ）経由で接続されている。
【００１７】
例えば、映像配信装置１００及び映像再生装置２００は、ＩＥＥＥ８０２．１１ｂ／ｇ／ｎなどにより無線通信端末３００と通信を行なう機能を備える。また、映像配信装置１００及び映像再生装置２００は、互いに直接無線通信を行なう機能を備えていてもよい。即ち、映像配信装置１００と映像再生装置２００とは、無線通信端末３００経由、または直接データを送受信することができる。
【００１８】
図２は、一実施形態に係る映像配信装置１００の例を示す。  
映像配信装置１００は、チューナ１１１、復調部１１２、信号処理部１１３、音声処理部１２１、映像処理部１３１、表示処理部１３３、制御部１５０、記憶装置１６０、操作入力部１６１、受光部１６２、ＬＡＮインターフェース１７１、及びＨＤＭＩ端子１７３を備える。また、映像配信装置１００は、さらにスピーカ１２２及びディスプレイ１３４を備える。
【００１９】
チューナ１１１は、例えばアンテナ１０１により受信されたディジタル放送信号を受け取ることができる。アンテナ１０１は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信することができる。チューナ１１１は、上記したディジタル放送信号により供給される番組などのコンテンツのデータ（ストリーム）を受け取ることができる。
【００２０】
チューナ１１１は、ディジタル放送信号用のチューナである。チューナ１１１は、受け取ったディジタル放送信号のチューニング（選局）を行う。チューナ１１１は、チューニングしたディジタル放送信号を復調部１１２に送信する。なお、映像配信装置１００は、複数のチューナ１１１Ａ・・・１１１Ｎを備える。映像配信装置１００は、複数のチューナにより複数の放送信号を同時に選局することができる。
【００２１】
復調部１１２は、受信したディジタル放送信号を復調する。これにより、復調部１１２は、ディジタル放送信号からトランスポートストリーム（ＴＳ）などのコンテンツデータを取得する。復調部１１２は、取得したコンテンツデータを信号処理部１１３に入力する。即ち、アンテナ１０１、チューナ１１１、及び復調部１１２は、コンテンツデータを受信する受信手段として機能する。
【００２２】
信号処理部１１３は、コンテンツデータの分離などの信号処理を行う。即ち、信号処理部１１３は、コンテンツデータをディジタル映像信号、ディジタル音声信号、及びその他のデータ信号に分離する。信号処理部１１３は、音声処理部１２１に音声信号を供給する。また、信号処理部１１３は、映像処理部１３１に映像信号を供給する。さらに、信号処理部１１３は、制御部１５０にデータ信号を供給する。
【００２３】
また、信号処理部１１３は、制御部１５０の制御に基づいて、上記のコンテンツデータを録画可能な状態のデータ（録画ストリーム）に変換することができる。信号処理部１１３は、制御部１５０の制御に基づいて、録画ストリームを記憶装置１６０または他のモジュールに供給することができる。
【００２４】
またさらに、信号処理部１１３は、コンテンツデータのビットレートをオリジナルのビットレートから他のビットレートに変換（トランスコード）することができる。即ち、信号処理部１１３は、放送信号などに基づいて取得したオリジナルのビットレートのストリームを、より低いビットレートのストリームにトランスコードすることができる。これにより、信号処理部１１３は、より容量の少ない状態でコンテンツを録画させることができる。
【００２５】
音声処理部１２１は、信号処理部１１３から受信したディジタル音声信号を、スピーカ１２２により再生可能なフォーマットの信号（オーディオ信号）に変換する。例えば、音声処理部１２１は、ディジタル音声信号をディジタル／アナログ変換によりオーディオ信号に変換する。音声処理部１２１は、オーディオ信号をスピーカ１２２に供給する。スピーカ１２２は、供給されるオーディオ信号に基づいて音を再生する。
【００２６】
映像処理部１３１は、信号処理部１１３から受信したディジタル映像信号を、ディスプレイ１３４で再生可能なフォーマットの映像信号に変換する。即ち、映像処理部１３１は、信号処理部１１３から受信したディジタル映像信号を、ディスプレイ１３４で再生可能なフォーマットの映像信号にデコード（再生）する。映像処理部１３１は、映像信号を表示処理部１３３に出力する。
【００２７】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ１３４に供給する。ディスプレイ１３４は、供給される映像信号に基づいて映像を表示する。
【００２８】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理部１３３から供給される映像信号に基づいて映像を表示する。
【００２９】
なお、映像配信装置１００は、ディスプレイ１３４の代わりに、映像信号を出力する出力端子を備える構成であってもよい。また、映像配信装置１００は、スピーカ１２２の代わりに、オーディオ信号を出力する出力端子を備える構成であってもよい。また、映像配信装置１００は、ディジタル映像信号とディジタル音声信号とを出力する出力端子を備える構成であってもよい。
【００３０】
制御部１５０は、映像配信装置１００の各部の動作を制御する制御手段として機能する。制御部１５０は、ＣＰＵ１５１、ＲＯＭ１５２、ＲＡＭ１５３、及びＥＥＰＲＯＭ（不揮発性メモリ）１５４などを備えている。制御部１５０は、操作入力部１６１から供給される操作信号に基づいて、種々の処理を行う。
【００３１】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００３２】
ＲＯＭ１５２は、映像配信装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００３３】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００３４】
ＥＥＰＲＯＭ１５４は、各種の設定情報、及びプログラムなどを記憶する不揮発性メモリである。
【００３５】
記憶装置１６０は、コンテンツを記憶する記憶媒体を有する。例えば、記憶装置１６０は、ハードディスクドライブ（ＨＤＤ）、ソリッドステイトドライブ（ＳＳＤ）、または半導体メモリなどにより構成される。記憶装置１６０は、信号処理部１１３から供給された録画ストリームを記憶することができる。
【００３６】
操作入力部１６１は、例えば、ユーザによる操作入力に応じて操作信号を生成する操作キー、またはタッチパッドなどを備える。また、操作入力部１６１は、キーボード、マウス、または操作信号を生成する事ができる他の入力装置などから操作信号を受け取る構成であってもよい。操作入力部１６１は、操作信号を制御部１５０に供給する。
【００３７】
なお、タッチパッドは、静電容量式センサ、サーモセンサ、または他の方式に基づいて位置情報を生成するデバイスを含む。また、映像配信装置１００がディスプレイ１３４を備える場合、操作入力部１６１は、ディスプレイ１３４と一体に形成されるタッチパネルなどを備える構成であってもよい。
【００３８】
受光部１６２は、例えば、リモートコントローラ１６３からの操作信号を受信するセンサなどを備える。受光部１６２は、受信した信号を制御部１５０に供給する。制御部１５０は、受光部１６２から供給された信号を受信し、受信した信号を増幅させてＡ／Ｄ変換を行うことにより、リモコン１６３から送信された元の操作信号を復号する。
【００３９】
リモートコントローラ１６３は、ユーザの操作入力に基づいて操作信号を生成する。リモートコントローラ１６３は、生成した操作信号を赤外線通信により受光部１６２に送信する。なお、受光部１６２及びリモートコントローラ１６３は、電波などの他の無線通信により操作信号の送受信を行う構成であってもよい。
【００４０】
ＬＡＮインターフェース１７１は、ＬＡＮ経由でインターネット、イントラネット、またはホームネットワークなどのネットワーク上の他の機器と通信を行なう為のインターフェースである。上記したように、無線通信端末３００とＬＡＮインターフェース１７１とがＬＡＮケーブルにより接続された場合、映像配信装置１００は、無線通信端末３００に接続されている他の機器と通信することができる。例えば、映像配信装置１００は、ＬＡＮインターフェース１７１によりネットワーク上の機器に記録されているコンテンツを取得し、再生することができる。また、映像配信装置１００は、コンテンツデータをＬＡＮインターフェース１７１により接続される機器に出力することが出来る。
【００４１】
また、ＬＡＮインターフェース１７１は、無線ＬＡＮ経由でアクセスポイントとしての無線通信端末３００と通信を行なうインターフェースであってもよい。ＬＡＮインターフェース１７１は、無線通信端末３００経由でインターネット、またはホームネットワークなどのネットワーク上の他の機器と通信を行なうことができる。例えば、ＬＡＮインターフェース１７１は、ＩＥＥＥ８０２．１１ｂ／ｇ／ｎなどにより無線通信端末３００と通信を行なう機能を備える。
【００４２】
上記したように、無線通信端末３００とＬＡＮインターフェース１７１とが無線ＬＡＮにより接続された場合、映像配信装置１００は、無線通信端末３００に接続されている他の機器と通信することができる。また、ＬＡＮインターフェース１７１は、無線通信端末３００を介さずに他の機器と直接無線ＬＡＮにより通信する構成であってもよい。
【００４３】
ＨＤＭＩ端子１７３は、ＨＤＭＩ（High Definition Multimedia Interface）（登録商標）などの規格に基づいた通信を行なう為のインターフェースである。ＨＤＭＩ端子１７３には、ブルーレイ（登録商標）レコーダ、ＤＶＤレコーダ、ハードディスクレコーダ、または他の機器とＨＤＭＩに対応した機器が接続される。ＨＤＭＩ端子１７３は、接続された機器から出力されたコンテンツデータを受信することができる。
【００４４】
制御部１５０は、ＨＤＭＩ端子１７３により受信したコンテンツデータを信号処理部１１３に入力させる。信号処理部１１３は、受信したコンテンツデータからディジタル映像信号、及びディジタル音声信号などを分離する。信号処理部１１３は、分離したディジタル映像信号を映像処理部１３１に送信し、分離したディジタル音声信号を音声処理部１２１に送信する。
【００４５】
また、映像配信装置１００は、図示しない電源部を備える。電源部は、ＡＣアダプタなどを介して商用電源などから電力を受け取る。電源部は、受け取った交流の電力を直流に変換し、映像配信装置１００内の各部へ供給する。
【００４６】
図３は、一実施形態に係る映像再生装置２００の例を示す。  
映像再生装置２００は、制御部２５０、操作入力部２６１、ＬＡＮインターフェース２７２、及び記憶装置２７４を備える。さらに、映像再生装置２００は、スピーカ２２２、マイク２２３、ディスプレイ２３４、タッチセンサ２３５を備える。
【００４７】
制御部２５０は、映像再生装置２００の各部の動作を制御する制御手段として機能する。制御部２５０は、ＣＰＵ２５１、ＲＯＭ２５２、ＲＡＭ２５３、及びＥＥＰＲＯＭ（不揮発性メモリ）２５４などを備えている。制御部２５０は、操作入力部２６１、またはタッチセンサ２３５から供給される操作信号に基づいて、種々の処理を行う。
【００４８】
ＣＰＵ２５１は、種々の演算処理を実行する演算素子などを備える。ＣＰＵ２５１は、ＲＯＭ２５２、またはＥＥＰＲＯＭ２５４などに記憶されているプログラムを実行することにより種々の機能を実現する。
【００４９】
ＲＯＭ２５２は、映像再生装置２００を制御する為のプログラム、及び各種の機能を実現する為のプログラムなどを記憶する。ＣＰＵ２５１は、操作入力部２６１から供給される操作信号に基づいて、ＲＯＭ２５２に記憶されているプログラムを起動する。これにより、制御部２５０は、各部の動作を制御する。
【００５０】
ＲＡＭ２５３は、ＣＰＵ２５１のワークメモリとして機能する。即ち、ＲＡＭ２５３は、ＣＰＵ２５１の演算結果、ＣＰＵ２５１により読み込まれたデータなどを記憶する。
【００５１】
ＥＥＰＲＯＭ２５４は、各種の設定情報、及びプログラムなどを記憶する不揮発性メモリである。
【００５２】
また、ＣＰＵ２５１は、記憶装置２７４に格納されているアプリケーションなどのデータに基づいて、種々の処理を実行することができる。
【００５３】
また、制御部２５０は、ＣＰＵ２５１が実行しているアプリケーションに応じて、種々の画面などの映像信号を生成し、ディスプレイ２３４に表示させることができる。また、制御部２５０は、ＣＰＵ２５１が実行しているアプリケーションに応じて、種々の音声などの音声信号を生成し、スピーカ２２２により出力させることができる。
【００５４】
スピーカ２２２は、供給されるオーディオ信号に基づいて音を再生する。なお、映像再生装置２００は、スピーカ２２２の代わりに、音声信号を出力する出力端子を備える構成であってもよい。
【００５５】
マイク２２３は、映像再生装置２００の外部の音に基づいて信号（録音信号）を生成する集音手段である。マイク２２３は、録音信号を制御部２５０に供給する。
【００５６】
ディスプレイ２３４は、例えば、マトリクス状に配列された複数の画素を備える液晶表示パネルと、この液晶パネルを照明するバックライトとを備える液晶表示装置などを備える。ディスプレイ２３４は、映像信号に基づいて映像を表示する。
【００５７】
タッチセンサ２３５は、静電容量式センサ、サーモセンサ、または他の方式に基づいて位置情報を生成するデバイスである。例えば、タッチセンサ２３５は、ディスプレイ２３４と一体に設けられる。これにより、タッチセンサ２３５は、ディスプレイ２３４に表示されている画面上での操作に基づいて操作信号を生成し、制御部２５０に供給することができる。
【００５８】
操作入力部２６１は、例えば、ユーザによる操作入力に応じて操作信号を生成するキーを備える。操作入力部２６１は、例えば、音量を調整する為の音量調整キー、ディスプレイ２３４の表示輝度を調整する為の輝度調整キー、及び、映像再生装置２００電源状態を切り替える為の電源キーなどを備える。また、操作入力部２６１は、種々の選択操作などを映像再生装置２００に実行させる為のトラックボールなどをさらに備えていてもよい。操作入力部２６１は、上記したキーの操作に応じて操作信号を生成し、操作信号を制御部２５０に供給する。
【００５９】
また、操作入力部２６１は、キーボード、マウス、または操作信号を生成する事ができる他の入力装置などから操作信号を受け取る構成であってもよい。例えば、映像再生装置２００がＵＳＢ端子、またはＢｌｕｅｔｏｏｔｈ（登録商標）のモジュールなどを備えている場合、操作入力部２６１は、ＵＳＢ、またはＢｌｕｅｔｏｏｔｈにより接続された入力装置から操作信号を受け取り、制御部２５０に供給する。
【００６０】
ＬＡＮインターフェース２７２は、無線ＬＡＮ経由でアクセスポイントとしての無線通信端末３００と通信を行なう為のインターフェースである。ＬＡＮインターフェース２７２は、無線通信端末３００経由でインターネット、またはホームネットワークなどのネットワーク上の他の機器と通信を行なうことができる。例えば、ＬＡＮインターフェース２７２は、ＩＥＥＥ８０２．１１ｂ／ｇ／ｎなどにより無線通信端末３００と通信を行なう機能を備える。
【００６１】
上記したように、無線通信端末３００とＬＡＮインターフェース２７２とが無線ＬＡＮにより接続された場合、映像再生装置２００は、無線通信端末３００に接続されている他の機器と通信することができる。また、ＬＡＮインターフェース２７２は、無線通信端末３００を介さずに他の機器と直接無線ＬＡＮにより通信する構成であってもよい。
【００６２】
また、映像再生装置２００は、図示しない電源部を備える。電源部は、バッテリーと、商用電源などから電力を受け取るアダプタと接続する為の端子（例えばＤＣジャック）と、を備える。電源部は、商用電源から受け取った電力をバッテリーに充電する。また、電源部は、バッテリーに充電されている電力を映像再生装置２００内の各部へ供給する。
【００６３】
記憶装置２７４は、ハードディスクドライブ（ＨＤＤ）、ソリッドステイトドライブ（ＳＳＤ）、または半導体メモリなどを備える。記憶装置２７４は、制御部２５０のＣＰＵ２５１により実行されるプログラム、アプリケーション、及び種々のデータなどを記憶することができる。
【００６４】
また、映像再生装置２００は、映像配信装置１００により受信することができる放送信号に基づくコンテンツのストリームをネットワーク経由で受け取り、保存及び再生することが出来る。この為に、映像再生装置２００は、コンテンツの配信を映像配信装置１００に要求する。
【００６５】
映像配信装置１００は、コンテンツの配信が要求された場合、要求されたコンテンツをネットワーク経由で映像再生装置２００に配信するライブ配信を行うことができる。
【００６６】
図４は、映像配信装置１００によるライブ配信処理の例を示す。  
映像配信装置１００の不揮発性メモリ１５４は、チューナとチケットの対応を保持するチューナ管理表１０４を記憶する記憶領域を有する。また、映像配信装置１００の制御部１５０は、プログラムを実行することにより、選局要求処理部１０２、チケット発行部１０３、チューナ制御部１０５、及び配信要求処理部１０６として機能する。また、上記したように、映像配信装置１００は、複数のチューナ１１１Ａ乃至チューナ１１１Ｎを備える。
【００６７】
例えば、映像再生装置２００Ａは、まず図５に示されるような選局要求を映像配信装置１００の選局要求処理部１０２に送信する。この選局要求は、放送信号を選局する為の選局ナンバー「ｃｈａｎｎｅｌ＝０００００１０３」を含む。選局要求処理部１０２は、受信した選局要求に応じて、選局ナンバーを抽出する。選局要求処理部１０２は、抽出した選局ナンバーをチケット発行部１０３に供給する。
【００６８】
チケット発行部１０３は、選局要求処理部１０２から選局ナンバーを受け取った場合、チケットナンバー（識別情報）を発行する。チケット発行部１０３は、例えば、選局ナンバーを受け取った順に連番のチケットナンバーを発行する。また、チケット発行部１０３は、ランダムで重複しないチケットナンバーを発行する構成であってもよい。なお、チケット発行部１０３は、チケットナンバーの連番が予め設定された値に達した場合、連番を１に戻す。
【００６９】
チケット発行部１０３は、発行したチケットナンバーを選局要求処理部１０２に供給する。選局要求処理部１０２は、チケット発行部１０３からチケットナンバーを受け取った場合、選局要求を送信した映像再生装置２００Ａに受け取ったチケットナンバーをレスポンスとして送信する。図６は、選局要求処理部１０２から映像再生装置２００Ａに送信されるレスポンスの例を示す。このレスポンスは、図６に示されるように、チケットナンバー「ｔｉｃｋｅｔｎｏ＝１１」を含む。さらに、チケット発行部１０３は、発行したチケットナンバー及び選局要求処理部１０２から受け取った選局ナンバーをチューナ制御部１０５に供給する。
【００７０】
チューナ制御部１０５は、チケットナンバー及び選局ナンバーを受け取った場合、受け取った選局ナンバーに対応したコンテンツを選局することができるチューナを１つ選択する。チューナ制御部１０５は、チケットナンバーと、選局ナンバーと、選択したチューナを示す情報（例えばチューナ識別子）と、処理の状態を示す情報（ステータス）とを対応付けてチューナ管理情報としてチューナ管理表１０４に追記する。なお、このステータスは、チューナ識別子が示すチューナの処理の状態を示す情報であり、例えば、配信中／停止中／空き状態／その他（録画中・ＥＰＧ取得中・スキャン中）などの状態を示す。
【００７１】
上記の処理により、チューナ管理表１０４には、図７に示されるチューナ識別子＝Ｔ２のような情報が生成される。即ち、チューナ制御部１０５は、チューナ識別子＝Ｔ２であり、チケットナンバー＝１１であり、選局ナンバー＝ＢＳ１０３であり、ステータス＝停止中であるチューナ管理情報をチューナ管理表１０４に追記する。
【００７２】
次に、映像再生装置２００Ａは、実際にコンテンツのライブ配信を受け取るために、図８に示されるような配信要求を映像配信装置１００の配信要求処理部１０６に送信する。この配信要求は、上記の処理により受け取ったチケットナンバー「ｔｉｃｋｅｔｎｏ＝１１」を含む。配信要求処理部１０６は、受信した配信要求に応じて、チケットナンバーを抽出する。配信要求処理部１０６は、抽出したチケットナンバーをチューナ制御部１０５に供給する。
【００７３】
チューナ制御部１０５は、配信要求処理部１０６からチケットナンバーを受け取った場合、受け取ったチケットナンバーに応じたチューナ管理情報をチューナ管理表１０４から取得する。これにより、チューナ制御部１０５は、受け取ったチケットナンバーに応じたチューナ識別子、及び選局ナンバーを示すデータを取得する。
【００７４】
チューナ制御部１０５は、取得したチューナ識別子が示すチューナに選局ナンバーが示すコンテンツを選局させるようにチューナ１１１を制御する。さらに、チューナ制御部１０５は、チューナ１１１により選局されたコンテンツを配信要求処理部１０６に供給させる。配信要求処理部１０６は、チューナ１１１から供給されたコンテンツを配信要求を送信した映像再生装置２００Ａに配信する。さらに、チューナ制御部１０５は、チューナ管理表１０４の受け取ったチケットナンバーに応じたステータスを配信中に書き換える。
【００７５】
またさらに、配信中のコンテンツを他のコンテンツに切り替える場合、映像再生装置２００Ａは、操作入力に応じた選局ナンバーと、選局要求処理部１０２から送信されたチケットナンバーとを含む選局要求を生成し、選局要求を選局要求処理部１０２に送信する。
【００７６】
選局要求処理部１０２は、選局ナンバーとチケットナンバーとを含む選局要求を受信した場合、選局ナンバーとチケットナンバーをチューナ制御部１０５に供給する。
【００７７】
チューナ制御部１０５は、選局要求処理部１０２から選局ナンバーとチケットナンバーとを受け取った場合、受け取ったチケットナンバーに応じたチューナ管理情報をチューナ管理表１０４内で更新する。即ち、チューナ制御部１０５は、受け取ったチケットナンバーに対応付けられている選局ナンバーを選局要求処理部１０２から受け取った選局ナンバーに書き換える。
【００７８】
さらに、チューナ制御部１０５は、受け取ったチケットナンバーに対応するチューナ１１１が選局要求処理部１０２から受け取った選局ナンバーが示すコンテンツを選局するようにチューナ１１１を制御する。さらに、チューナ制御部１０５は、選局したコンテンツが映像再生装置２００Ａに配信されるように各部を制御する。これにより、映像配信装置１００は、ライブ配信中の選局をより正確に処理することができる。
【００７９】
また、映像再生装置２００は、上記したような事前のチケット発行を受けることなく、ライブ配信を受け取ることもできる。この場合、映像再生装置２００は、選局ナンバーを含む配信要求を配信要求処理部１０６に送信する。配信要求処理部１０６は、受け取った配信要求にチケットナンバーが含まれていない場合、受け取った選局ナンバーをチケット発行部１０３に供給する。
【００８０】
チケット発行部１０３は、配信要求処理部１０６から選局ナンバーを受け取った場合、チケットナンバーを発行する。チケット発行部１０３は、発行したチケットナンバーと選局ナンバーとをチューナ制御部１０５に供給する。
【００８１】
チューナ制御部１０５は、受け取ったチケットナンバー及び選局ナンバーに応じてチューナ１１１を選択し、チューナ管理情報を生成し、チューナ管理情報をチューナ管理表１０４に書き込む。さらに、チューナ制御部１０５は、受け取った選局ナンバーのコンテンツを選局し、映像再生装置２００に配信するようにチューナ１１１及び配信要求処理部１０６を制御する。さらに、チューナ制御部１０５は、チケットナンバーを映像再生装置２００に送信する。
【００８２】
なお、チューナ制御部１０５は、チューナ管理表１０４を参照することにより、空きチューナ１１１が存在するか否か判断する。チューナ制御部１０５は、空きチューナ１１１が存在しない場合、ステータスが停止中であるチューナ１１１を選択する構成であってもよい。この場合、チューナ制御部１０５は、選択したチューナ１１１に関するチューナ管理情報を書き換える。また、全てのチューナ１１１のステータスが配信中である場合、チューナ制御部１０５は、映像再生装置２００にエラーレスポンスを返す。
【００８３】
また、チューナ制御部１０５は、配信要求処理部１０６から受け取ったチケットナンバーがチューナ管理表１０４に登録されていない場合、映像再生装置２００にエラーレスポンスを返す。
【００８４】
上記したように映像配信装置１００は、選局要求処理部１０２と配信要求処理部１０６とを備える。映像配信装置１００は、選局要求処理部１０２により選局要求を受け付け、チケットナンバーを発行する。即ち、映像配信装置１００は、チケットナンバーなどの識別情報を映像再生装置２００との間で共有化する。さらに、映像配信装置１００は、共有化した識別情報をインデックスとして選局ナンバー、及びチューナ識別子などを対応付けて記憶する。
【００８５】
さらに、映像配信装置１００は、チケットナンバーを受け取った場合、既に受け付けた選局要求に従ってコンテンツを選局し、選局したコンテンツをチケットナンバーを送信した映像再生装置２００（ライブ配信端末）に配信することができる。即ち、映像配信装置１００は、配信要求に含まれている識別情報をインデックスとしてチューナ管理表１０４を検索し、選局ナンバー、及びチューナ識別子を取得する。映像配信装置１００は、取得した選局ナンバー、及びチューナ識別子に基づいてコンテンツの選局及び配信を行うようにチューナ１１１及び配信要求処理部１０６を制御する。
【００８６】
映像配信装置１００は、既にチューナ管理表１０４に格納されているチューナ識別子に対応するチューナ１１１を新たに割り当てないようにチューナ１１１を選択する。これにより、例えば、映像再生装置２００からの配信要求が遅れた場合であっても、選局ナンバー、チケットナンバー、及びチューナ識別子が対応付けられてチューナ管理表１０４に格納されている為、他端末との競合を防ぐことができる。即ち、映像再生装置２００Ａからの配信要求を受け取る前に、他の映像再生装置２００Ｂから選局要求を受け取った場合であっても、映像配信装置１００は、既にチューナ管理表１０４に格納されているチューナ識別子に対応するチューナ１１１を選択しない。これにより、映像配信装置１００は、より確実にライブ配信端末にコンテンツをライブ配信することができる。
【００８７】
また、選局ナンバー、チケットナンバー、及びチューナ識別子を対応付けてチューナ管理表１０４に格納し、且つ、チケットナンバーを含む配信要求に応じてライブ配信処理を行う為、配信処理が中断された場合であっても容易に処理を再開することができる。即ち、映像再生装置２００は、再度チケットナンバーを含む配信要求を映像配信装置１００に送信することにより、切断前と同じ設定でコンテンツのライブ配信を受け取ることができる。
【００８８】
また、映像配信装置１００は、選局ナンバー、チケットナンバー、及びチューナ識別子を対応付けて管理している為、複数の映像再生装置２００に同時にコンテンツをライブ配信する場合であっても、選局などを取り違えることを防ぐことができる。
【００８９】
この結果、より高い利便性を有する映像配信装置、情報処理装置、映像配信方法、映像配信プログラム、及び情報処理プログラムを提供することができる。
【００９０】
また、映像再生装置２００がＤＭＣとＤＭＲとの組合せ（３ＢＯＸモデル）である場合であっても、同様に本願構成を適用することができる。
【００９１】
図９は、映像再生装置２００がＤＭＣとＤＭＲとの組合せである場合の映像配信装置１００によるライブ配信処理の例を示す。なお、映像再生装置２００ＣがＤＭＣとして機能し、映像再生装置２００ＤがＤＭＲとして機能すると仮定して説明する。
【００９２】
例えば、映像再生装置２００Ｃは、選局ナンバーを含む選局要求を映像配信装置１００の選局要求処理部１０２に送信する。選局要求処理部１０２は、受信した選局要求に応じて、選局ナンバーを抽出する。選局要求処理部１０２は、抽出した選局ナンバーをチケット発行部１０３に供給する。
【００９３】
チケット発行部１０３は、選局要求処理部１０２から選局ナンバーを受け取った場合、チケットナンバーを発行する。チケット発行部１０３は、発行したチケットナンバーを選局要求処理部１０２に供給する。選局要求処理部１０２は、チケット発行部１０３からチケットナンバーを受け取った場合、選局要求を送信した映像再生装置２００Ｃに受け取ったチケットナンバーをレスポンスとして送信する。さらに、チケット発行部１０３は、発行したチケットナンバー及び選局要求処理部１０２から受け取った選局ナンバーをチューナ制御部１０５に供給する。
【００９４】
チューナ制御部１０５は、チケットナンバー及び選局ナンバーを受け取った場合、受け取った選局ナンバーに対応したコンテンツを選局することができるチューナを１つ選択する。チューナ制御部１０５は、チケットナンバーと、選局ナンバーと、チューナ識別子と、ステータスとを対応付けてチューナ管理情報としてチューナ管理表１０４に追記する。
【００９５】
映像再生装置２００Ｃは、選局要求処理部１０２からチケットナンバーを受信した場合、受信したチケットナンバーをＤＭＲである映像再生装置２００Ｄに送信する。さらに、映像再生装置２００Ｃは、選局したコンテンツに関する情報を映像再生装置２００Ｄに送信する構成であってもよい。
【００９６】
映像再生装置２００Ｄは、ＤＭＣである映像再生装置２００Ｃからチケットナンバーを受け取った場合、チケットナンバーを含む配信要求を映像配信装置１００の配信要求処理部１０６に送信する。配信要求処理部１０６は、受信した配信要求に応じて、チケットナンバーを抽出する。配信要求処理部１０６は、抽出したチケットナンバーをチューナ制御部１０５に供給する。
【００９７】
チューナ制御部１０５は、配信要求処理部１０６からチケットナンバーを受け取った場合、受け取ったチケットナンバーに応じたチューナ管理情報をチューナ管理表１０４から取得する。これにより、チューナ制御部１０５は、受け取ったチケットナンバーに応じたチューナ識別子、及び選局ナンバーを示すデータを取得する。
【００９８】
チューナ制御部１０５は、取得したチューナ識別子が示すチューナに選局ナンバーが示すコンテンツを選局させるようにチューナ１１１を制御する。さらに、チューナ制御部１０５は、チューナ１１１により選局されたコンテンツを配信要求処理部１０６に供給させる。配信要求処理部１０６は、チューナ１１１から供給されたコンテンツを配信要求を送信した映像再生装置２００Ｄに配信する。さらに、チューナ制御部１０５は、チューナ管理表１０４の受け取ったチケットナンバーに応じたステータスを配信中に書き換える。
【００９９】
このように、ＤＭＣとＤＭＲとの間でチケットナンバーを伝達する場合であっても、同様に本願構成を適用することができる。この結果、映像配信装置１００は、ＤＭＣからの指示に基づいてコンテンツをＤＭＲにライブ配信することができる。
【０１００】
また、上記の実施形態では、映像配信装置１００は、映像再生装置２００から選局要求を受け取った場合にチケットナンバーを発行する構成であると説明したが、この構成に限定されない。映像配信装置１００は、チケットナンバーの変わりにＩＰアドレス、ＭＡＣアドレス、及び製品識別情報などの機器毎の固有の情報を用いる構成であってもよい。
【０１０１】
図１０は、チケットナンバーの変わりにＩＰアドレスを用いる場合の映像配信装置１００によるライブ配信処理の例を示す。   
例えば、映像再生装置２００Ａは、選局要求を映像配信装置１００の選局要求処理部１０２に送信する。この選局要求は、放送信号を選局する為の選局ナンバーと、自身のＩＰアドレスとを含む。選局要求処理部１０２は、受信した選局要求に応じて、選局ナンバー及びＩＰアドレスを抽出する。選局要求処理部１０２は、抽出した選局ナンバー及びＩＰアドレスをチューナ制御部１０５に供給する。
【０１０２】
チューナ制御部１０５は、ＩＰアドレス及び選局ナンバーを受け取った場合、受け取った選局ナンバーに対応したコンテンツを選局することができるチューナを１つ選択する。チューナ制御部１０５は、ＩＰアドレスと、選局ナンバーと、チューナ識別子と、ステータスとを対応付けてチューナ管理情報としてチューナ管理表１０４に追記する。
【０１０３】
次に、映像再生装置２００Ａは、実際にコンテンツのライブ配信を受け取るために、配信要求を映像配信装置１００の配信要求処理部１０６に送信する。この配信要求は、自身のＩＰアドレスを含む。配信要求処理部１０６は、受信した配信要求に応じて、ＩＰアドレスを抽出する。配信要求処理部１０６は、抽出したＩＰアドレスをチューナ制御部１０５に供給する。
【０１０４】
チューナ制御部１０５は、配信要求処理部１０６からＩＰアドレスを受け取った場合、受け取ったＩＰアドレスに応じたチューナ管理情報をチューナ管理表１０４から取得する。これにより、チューナ制御部１０５は、受け取ったＩＰアドレスに応じたチューナ識別子、及び選局ナンバーを示すデータを取得する。
【０１０５】
チューナ制御部１０５は、取得したチューナ識別子が示すチューナに選局ナンバーが示すコンテンツを選局させるようにチューナ１１１を制御する。さらに、チューナ制御部１０５は、チューナ１１１により選局されたコンテンツを配信要求処理部１０６に供給させる。配信要求処理部１０６は、チューナ１１１から供給されたコンテンツを配信要求を送信した映像再生装置２００Ａに配信する。さらに、チューナ制御部１０５は、チューナ管理表１０４の受け取ったＩＰアドレスに応じたステータスを配信中に書き換える。
【０１０６】
このように、チケットの代わりにＩＰアドレスを用いる場合であっても、同様に本願構成を適用することができる。即ち、チケットを発行するのではなく、ＩＰアドレスを用いることによっても、映像配信装置１００は、コンテンツを映像再生装置２００にライブ配信することができる。
【０１０７】
映像再生装置２００は、選局番号及び自身のＩＰアドレスなどの識別情報を映像配信装置１００に配信することにより、識別情報（ＩＰアドレス）を映像配信装置１００との間で共有化することができる。即ち、映像配信装置１００は、選局要求処理部１０２により選局要求を受け付け、選局要求に含まれている選局ナンバー及び映像再生装置２００のＩＰアドレスを取得する。映像配信装置１００は、ＩＰアドレスをインデックスとして選局ナンバー、及びチューナ識別子などを対応付けて記憶することにより、識別情報としてのＩＰアドレスを映像再生装置２００との間で共有化することができる。
【０１０８】
さらに、映像配信装置１００は、ＩＰアドレスを含む配信要求を映像再生装置２００から受け取った場合、配信要求に含まれているＩＰアドレス（識別情報）をインデックスとしてチューナ管理表１０４を検索し、選局ナンバー、及びチューナ識別子を取得する。映像配信装置１００は、取得した選局ナンバー、及びチューナ識別子に基づいてコンテンツの選局及び配信を行うようにチューナ１１１及び配信要求処理部１０６を制御することができる。
【０１０９】
またさらに、図９に示された例と、図１０に示された例とを組み合わせてもよい。  
図１１は、映像再生装置２００がＤＭＣとＤＭＲとの組合せであり、且つ、チケットナンバーの変わりにＩＰアドレスを用いる場合の映像配信装置１００によるライブ配信処理の例を示す。なお、映像再生装置２００ＣがＤＭＣとして機能し、映像再生装置２００ＤがＤＭＲとして機能すると仮定して説明する。
【０１１０】
ＤＭＣである映像再生装置２００Ｃは、ＤＭＲである映像再生装置２００Ｄに映像配信装置１００からコンテンツをライブ配信させる場合、まず映像再生装置２００ＤのＩＰアドレスを取得する。映像再生装置２００Ｃは、映像再生装置２００Ｄから取得したＩＰアドレスと、選局ナンバーとを含む選局要求を映像配信装置１００の選局要求処理部１０２に送信する。選局要求処理部１０２は、受信した選局要求に応じて、選局ナンバー及びＩＰアドレスを抽出する。選局要求処理部１０２は、抽出した選局ナンバー及びＩＰアドレスをチューナ制御部１０５に供給する。
【０１１１】
チューナ制御部１０５は、ＩＰアドレス及び選局ナンバーを受け取った場合、受け取った選局ナンバーに対応したコンテンツを選局することができるチューナを１つ選択する。チューナ制御部１０５は、ＩＰアドレスと、選局ナンバーと、チューナ識別子と、ステータスとを対応付けてチューナ管理情報としてチューナ管理表１０４に追記する。
【０１１２】
さらに、映像再生装置２００Ｄは、映像配信装置１００からコンテンツを受け取るために、配信要求を映像配信装置１００の配信要求処理部１０６に送信する。この配信要求は、映像再生装置２００Ｄ自身のＩＰアドレスを含む。配信要求処理部１０６は、受信した配信要求に応じて、ＩＰアドレスを抽出する。配信要求処理部１０６は、抽出したＩＰアドレスをチューナ制御部１０５に供給する。
【０１１３】
チューナ制御部１０５は、配信要求処理部１０６からＩＰアドレスを受け取った場合、受け取ったＩＰアドレスに応じたチューナ管理情報をチューナ管理表１０４から取得する。これにより、チューナ制御部１０５は、受け取ったＩＰアドレスに応じたチューナ識別子、及び選局ナンバーを示すデータを取得する。
【０１１４】
チューナ制御部１０５は、取得したチューナ識別子が示すチューナに選局ナンバーが示すコンテンツを選局させるようにチューナ１１１を制御する。さらに、チューナ制御部１０５は、チューナ１１１により選局されたコンテンツを配信要求処理部１０６に供給させる。配信要求処理部１０６は、チューナ１１１から供給されたコンテンツを配信要求を送信した映像再生装置２００Ａに配信する。さらに、チューナ制御部１０５は、チューナ管理表１０４の受け取ったＩＰアドレスに応じたステータスを配信中に書き換える。
【０１１５】
このように、映像再生装置２００がＤＭＣとＤＭＲとの組合せであり、且つ、チケットナンバーの変わりにＩＰアドレスを用いる場合であっても、同様に本願構成を適用することができる。即ち、チケットを発行するのではなく、ＤＭＲのＩＰアドレスを用いることによっても、映像配信装置１００は、コンテンツをＤＭＲである映像再生装置２００にライブ配信することができる。
【０１１６】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１１７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１１８】
１…映像配信システム、１００…映像配信装置、１０１…アンテナ、１０２…選局要求処理部、１０３…チケット発行部、１０４…チューナ管理表、１０５…チューナ制御部、１０６…配信要求処理部、１１１…チューナ、１１２…復調部、１１３…信号処理部、１２１…音声処理部、１２２…スピーカ、１３１…映像処理部、１３３…表示処理部、１３４…ディスプレイ、１５０…制御部、１５１…ＣＰＵ、１５２…ＲＯＭ、１５３…ＲＡＭ、１５４…ＥＥＰＲＯＭ、１６０…記憶装置、１６１…操作入力部、１６２…受光部、１６３…リモートコントローラ、１７１…ＬＡＮインターフェース、１７３…ＨＤＭＩ端子、２００…映像再生装置、２２２…スピーカ、２２３…マイク、２３４…ディスプレイ、２３５…タッチセンサ、２５０…制御部、２５１…ＣＰＵ、２５２…ＲＯＭ、２５３…ＲＡＭ、２５４…ＥＥＰＲＯＭ、２６１…操作入力部、２７２…ＬＡＮインターフェース、２７４…記憶装置、３００…無線通信端末。
【図１】
2013247460.tif 000003
【図２】
2013247460.tif 000004
【図３】
2013247460.tif 000005
【図４】
2013247460.tif 000006
【図５】
2013247460.tif 000007
【図６】
2013247460.tif 000008
【図７】
2013247460.tif 000009
【図８】
2013247460.tif 000010
【図９】
2013247460.tif 000011
【図１０】
2013247460.tif 000012
【図１１】
2013247460.tif 000013